(57)【要約】      （修正有）【課題】カップル及びウェディングプランナー側の双方において打合せの効率向上、時間節約を実現し、カップルにとって結婚式後のメモリアル性を長く維持し得るウェブ版ウェディングブックシステムを提供する。【解決手段】ウェブサイトに対してカップル端末３１からインターネットＮを介してカップルのプロフィール、ウェディングダイアリー、ドレス、ゲスト等のウェディング関連情報を送信し、ウェディングプランナー端末からウェディングに関するテーマを設定してカップルにインターネットＮを介して送信し、ゲスト端末４１からカップルに対するお祝い情報をインターネットＮを介して送信し、ウェディング管理コンピュータ装置１１はカップル端末３１からの各種ウェディング関連情報、ゲスト端末４１からのお祝い情報及びウェディングプランナー端末による提案情報を蓄積し、印刷・製本装置によりブック形態のウェブ版ウェディングブックを出力する。【選択図】図１
2013246760.tif 000002
【特許請求の範囲】
【請求項１】
ウェディング会場における管理者及びウェディングプランナーが利用するとともに、ウェブ版ウェディングブックをブック形態で出力する印刷・製本装置を備えるウェディング管理コンピュータ装置におけるウェブサーバ上に開設したウェブサイト、このウェブサイトにインターネットを介してアクセス可能に接続される結婚式に臨むカップルのカップル端末、前記カップルに関係するゲストのゲスト端末及びウェディング会場と提携するパートナー企業のパートナー端末からなる端末群を利用したウェブ版ウェディングブックシステムであって、
前記ウェブサイトに対して成約から結婚式に至る間に、カップルのカップル端末は、インターネットを介してカップルのプロフィール、カウンセリング、ウェディングダイアリー、ドレス、ゲスト、料理、花、演出、写真等の画像、ビューティケア、ギフト等に関する各種ウェディング関連情報を送信し、
前記ウェディングプランナーのウェディングプランナー端末により担当するカップルのプロフィール情報等を取得してウェディングに関するテーマを設定してカップルにインターネットを介して送信して提案し、
前記ゲスト端末は、カップルからの招待状を受けてカップルに対するお祝い情報をインターネットを介してウェディング管理コンピュータ装置に送信し、
前記ウェディング管理コンピュータ装置は、前記カップル端末からの各種ウェディング関連情報、ゲスト端末からのお祝い情報及びウェディングプランナー端末による提案情報を蓄積し、前記印刷・製本装置によりブック形態のウェブ版ウェディングブックを出力するように構成したことを特徴とするウェブ版ウェディングブックシステム。
【請求項２】
ウェディング会場における管理者が利用する管理コンピュータ及びウェディングプランナーが利用するウェディングプランナー端末、カップル情報データベース、ウェディングブックデータベースを備えるとともに、ウェブ版ウェディングブックをブック形態で出力する印刷・製本装置を備えるウェディング管理コンピュータ装置におけるウェブサーバ上に開設したウェブサイト、このウェブサイトにインターネットを介してアクセス可能に接続される結婚式に臨むカップルのカップル端末、前記カップルに関係するゲストのゲスト端末及びウェディング会場と提携するパートナー企業のパートナー端末からなる端末群を利用したウェブ版ウェディングブックシステムであって、
成約後第１回打合せまでの間に、カップルのカップル端末は、ウェブサイトを利用してカップルのプロフィール、カウンセリングに関するウェディング関連情報を管理コンピュータ送信し、
前記管理コンピュータはカップル情報データベースに、前記カップル端末からのプロフィール、カウンセリングに関するウェディング関連情報を記憶し、
第１回打合せ段階で、ウェディングプランナーのウェディングプランナー端末により担当するカップルのプロフィール情報等を取得してウェディングに関するテーマを設定してカップルにインターネットを介して送信して提案し、
ウェディングプランナー端末及びパートナー企業のパートナー端末からカップル端末に対してレコメンド写真等を送信し、
カップル端末は、ウェディングに関する各アイテムのチェックシートの情報を管理コンピュータ送信するとともに、ウェブサイトからスケジュール情報を取得してスケジュール管理を実行し、
第１回打合せ後結婚式の日までの段階でカップルのカップル端末は、ウェブサイトを利用してウェディングダイアリー、ドレス、ゲスト、料理、花、演出、写真等の画像、ビューティケア、ギフト等に関する各種ウェディング関連情報を送信するとともに、招待するゲストに招待状を送付し、
前記ゲスト端末は、カップルからの招待状を受けてカップルに対するお祝い情報をインターネットを介してウェディング管理コンピュータに送信し、
前記ウェディング管理コンピュータ装置は、前記カップル端末からの各種ウェディング関連情報、ゲスト端末からのお祝い情報及びウェディングプランナー端末による提案情報をカップル情報データベース、ウェディングブックデータベースに蓄積し、前記カップル端末からの出力依頼を受けて前記印刷・製本装置によりブック形態のウェブ版ウェディングブックを有料にて出力するように構成したことを特徴とするウェブ版ウェディングブックシステム。
【請求項３】
ウェディング会場における管理者が利用する管理コンピュータ及びウェディングプランナーが利用するウェディングプランナー端末、カップル情報データベース、ウェディングブックデータベースを備えるとともに、ウェブ版ウェディングブックをブック形態で出力する印刷・製本装置を備えるウェディング管理コンピュータ装置におけるウェブサーバ上に開設したウェブサイト、このウェブサイトにインターネットを介してアクセス可能に接続される結婚式に臨むカップルのカップル端末、前記カップルに関係するゲストのゲスト端末及びウェディング会場と提携するパートナー企業のパートナー端末からなる端末群を利用したウェブ版ウェディングブックシステムであって、
成約後第１回打合せまでの間に、カップルのカップル端末は、インターネットを介してウェブサイトにアクセスし、プロフィールシート、カウンセリングシートを閲覧し、カップル自身のプロフィール、カウンセリングに関するウェディング関連情報を管理コンピュータ送信し、
前記管理コンピュータはカップル情報データベースに、前記カップル端末からのプロフィール、カウンセリングに関するウェディング関連情報を記憶し、
第１回打合せ段階で、ウェディングプランナーのウェディングプランナー端末により担当するカップルのプロフィール情報等を取得してウェディングに関するテーマを設定してカップルにインターネットを介して送信して提案し、
ウェディングプランナー端末及びパートナー企業のパートナー端末からインターネットを介してカップル端末に対してレコメンド写真等を送信し、
カップル端末は、ウェディングに関する各アイテムのチェックシートをインターネットを介して閲覧して所要事項を入力し、管理コンピュータに送信するとともに、ウェブサイトからスケジュール情報を取得してスケジュール管理を実行し、
第１回打合せ後結婚式の日までの段階でカップルのカップル端末は、インターネットを介してウェディングダイアリー、ドレス、ゲスト、料理、花、演出、写真等の画像、ビューティケア、ギフト等に関する各種ウェディング関連情報の入力シートを閲覧し、所要事項を入力し、管理コンピュータに送信するとともに、招待するゲストにウェブサイトアクセス用の二次元コード付きの招待状を送付し、
前記ゲスト端末は、カップルからの招待状を受けて二次元コードを利用しカップルに対するお祝い情報をインターネットを介してウェディング管理コンピュータに送信し、
前記ウェディング管理コンピュータ装置は、前記カップル端末からの各種ウェディング関連情報、ゲスト端末からのお祝い情報及びウェディングプランナー端末による提案情報をカップル情報データベース、ウェディングブックデータベースに蓄積し、前記カップル端末からの出力依頼を受けて前記印刷・製本装置によりブック形態のウェブ版ウェディングブックを有料にて出力するように構成したことを特徴とするウェブ版ウェディングブックシステム。
【請求項４】
前記カップル端末にてインターネットを介して閲覧する前記ドレス、ゲストや、料理、花、演出、写真等の画像、ビューティケア、ギフト等に関する各種ウェディング関連情報には、各項目別にウェディング会場側からカップルに提案するアドバイス、ヒント等の付帯情報が含まれることを特徴とする請求項１乃至３のいずれかに記載のウェブ版ウェディングブックシステム。
【請求項５】
前記カップル端末にて入力するウェディング関連情報のアンケート入力には入力期日のアラート機能を設けていることを特徴とする請求項１乃至４のいずれかに記載のウェブ版ウェディングブックシステム。
【発明の詳細な説明】
【技術分野】
【０００１】
本発明は、ウェブ版ウェディングブックシステムに関し、詳しくは、婚約に始まり結婚式前の種々の準備、結婚式当日の各種の事項の総合的な情報の把握、管理、更には結婚後においても結婚記念ツールとして有意義な有形のウェディングブックを残すこともできるウェブ版ウェディングブックシステムに関するものである。
【背景技術】
【０００２】
従来、結婚式を挙げるカップルと、結婚式会場との間で、結婚式挙行の成約が決まってから実際の打ち合わせが開始されるまで、数ヶ月間の空白の期間が生まれているのが業界の現状である。
【０００３】
結婚式に臨むカップルの不安を煽るこの期間を、カップル、会場双方にとって意味のある期間にするため、また打ち合わせが始まってからも楽しく打ち合わせが進められるように、また、そのプロセスを形として思い出に残せるように、それらを叶えるツールとして本願出願人は先にブック形態のウェディングブックに関する考案を出願し実用新案登録を得ている（登録実用新案第３１５８８１３号）。
【０００４】
本願出願人は、上述したブック形態のウェディングブックの内容を踏襲し、これを基にインターネットを利用したウェブ版ウェディングブックシステムを発明し提案するものである。
【０００５】
この種のインターネットを利用したウェディング支援システムとしては、例えば特許文献１には、サービス業者が、招待者の端末装置からウェブサーバに送信された、メッセージデータを登録し、メッセージデータに基づき、少なくともゲストサイトへのアクセス情報を表示したウェルカムカードを作成して提供し、ウェルカムカードに表示されたアクセス情報に基づきウェブサーバ上に設けたゲストサイトにアクセスした招待者の端末装置から送信された写真データ登録して、ＣＤ等メディア等に記録して提供することで、付加価値を高め、ゲスト（招待者）のパーティ（ウェディング）への積極参加を促すようにしたパーティ支援システムが提案されている。
【０００６】
しかしながら、この特許文献１のパーティ支援システムの場合、カップルのウェディングに関する打合せ意識の向上や結婚式後の高いメモリアル性が実現するというような構成はなく、また、会場・ウェディングプランナー側の業務効率を高めるというような構成も存在しない。
【先行技術文献】
【特許文献】
【０００７】
【特許文献１】特開２００７−２６４８１２号公報
【発明の概要】
【発明が解決しようとする課題】
【０００８】
本発明が解決しようとする問題点は、カップルのウェディングに関する打合せ意識の向上を高めるとともに、カップル及び会場・ウェディングプランナー側の双方においてウェディングに関する打合せの効率向上、時間節約を実現し、また、カップルにとって結婚式後のメモリアル性を長く維持し得るようなウェブ版ウェディングブックシステムが存在しない点である。
【課題を解決するための手段】
【０００９】
本発明に係るウェブ版ウェディングブックシステムは、ウェディング会場における管理者及びウェディングプランナーが利用するとともに、ウェブ版ウェディングブックをブック形態で出力する印刷・製本装置を備えるウェディング管理コンピュータ装置におけるウェブサーバ上に開設したウェブサイト、このウェブサイトにインターネットを介してアクセス可能に接続される結婚式に臨むカップルのカップル端末、前記カップルに関係するゲストのゲスト端末及びウェディング会場と提携するパートナー企業のパートナー端末からなる端末群を利用したウェブ版ウェディングブックシステムであって、前記ウェブサイトに対して成約から結婚式に至る間に、カップルのカップル端末は、インターネットを介してカップルのプロフィール、カウンセリング、ウェディングダイアリー、ドレス、ゲスト、料理、花、演出、写真等の画像、ビューティケア、ギフト等に関する各種ウェディング関連情報を送信し、前記ウェディングプランナーのウェディングプランナー端末により担当するカップルのプロフィール情報等を取得してウェディングに関するテーマを設定してカップルにインターネットを介して送信して提案し、前記ゲスト端末は、カップルからの招待状を受けてカップルに対するお祝い情報をインターネットを介してウェディング管理コンピュータ装置に送信し、前記ウェディング管理コンピュータ装置は、前記カップル端末からの各種ウェディング関連情報、ゲスト端末からのお祝い情報及びウェディングプランナー端末による提案情報を蓄積し、前記印刷・製本装置によりブック形態のウェブ版ウェディングブックを出力するように構成したことを最も主要な特徴とする。
【発明の効果】
【００１０】
請求項１乃至請求項３記載の発明によれば、ウェブ版としたことにより、カップルにとって、ウェディングに関する利便性が向上し、ウェディングに関する打合せ時間を有効に利用することができ、また、ウェディングに関する取り組み意識が向上し、更に、有形のウェディングブックを得ることができるので、結婚式後における高いメモリアル性を残すこともできるウェブ版ウェディングブックシステムを実現し提供することができる。
【００１１】
また、ウェブ版としたことにより、会場側、ウェディンプランナー及びパートナー企業にとって、情報共有によるウェディングに関する打合せの簡略化、時間節約が可能となり、ウェディンプランナーの業務効率向上、会場側におけるアイテム単価アップやマーケティングへの有効活用、パートナー企業における担当者の業務効率向上を図ることができるウェブ版ウェディングブックシステムを実現し提供することができる。
【００１２】
請求項４記載の発明によれば、前記各種ウェディング関連情報には、各項目別にウェディング会場側からカップルに提案するアドバイス、ヒント等の付帯情報が含まれることから、カップルにとってウェディング準備期間における打ち合わせに関する満足感を得ることができるウェブ版ウェディングブックシステムを実現し提供することができる。
【００１３】
請求項５記載の発明によれば、カップル端末にて入力するウェディング関連情報のアンケート入力には入力期日のアラート機能を設けているので、アンケートの事前記入率がアップし、打ち合わせ時間の短縮が図れる（カップルが自主的に動ける環境ができる）ウェブ版ウェディングブックシステムを実現し提供することができる。
【図面の簡単な説明】
【００１４】
【図１】図１は本発明の実施例に係るウェブ版ウェディングブックシステムの全体構成を示すブロック図である。
【図２】図２は本実施例に係るウェブ版ウェディングブックシステムにおけるウェディング管理コンピュータ装置の構成を示すブロック図である。
【図３】図３は本実施例に係るウェブ版ウェディングブックシステムにおける管理コンピュータの構成を示すブロック図である。
【図４】図４は本実施例に係るウェブ版ウェディングブックシステムにおける成約後の準備段階の処理を示す説明図である。
【図５】図５は本実施例に係るウェブ版ウェディングブックシステムにおけるウェブサイトのトップ画面を示す図である。
【図６】図６は本実施例に係るウェブ版ウェディングブックシステムにおけるプロフィールシートの画像イメージを示す図である。
【図７】図７は本実施例に係るウェブ版ウェディングブックシステムにおけるカウンセリングシートの画像イメージを示す図である。
【図８】図８は本実施例に係るウェブ版ウェディングブックシステムにおけるテーマ作成用シートの画像イメージを示す図である。
【図９】図９は本実施例に係るウェブ版ウェディングブックシステムにおけるゲストシートの画像イメージを示す図である。
【図１０】図１０は本実施例に係るウェブ版ウェディングブックシステムにおけるドレス等のアイテムチェックリストの画像イメージを示す図である。
【図１１】図１１は本実施例に係るウェブ版ウェディングブックシステムにおける花等のアイテムチェックリストの画像イメージを示す図である。
【図１２】図１２は本実施例に係るウェブ版ウェディングブックシステムにおけるギフト等のアイテムチェックリストの画像イメージを示す図である。
【図１３】図１３は本実施例に係るウェブ版ウェディングブックシステムにおけるスケジュールシートの画像イメージを示す図である。
【図１４】図１４は本実施例に係るウェブ版ウェディングブックシステムにおけるドレスのアイテムチェックリストの画像イメージを示す図である。
【図１５】図１５は本実施例に係るウェブ版ウェディングブックシステムにおける料理のアイテムチェックリストの画像イメージを示す図である。
【図１６】図１６は本実施例に係るウェブ版ウェディングブックシステムにおける花のアイテムチェックリストの画像イメージを示す図である。
【図１７】図１７は本実施例に係るウェブ版ウェディングブックシステムにおける演出のアイテムチェックリストの画像イメージを示すである。
【図１８】図１８は本実施例に係るウェブ版ウェディングブックシステムにおける写真、映像のアイテムチェックリストの画像イメージを示すである。
【図１９】図１９は本実施例に係るウェブ版ウェディングブックシステムにおけるビューティのアイテムチェックリストの画像イメージを示すである。
【図２０】図２０は本実施例に係るウェブ版ウェディングブックシステムにおけるギフトのアイテムチェックリストの画像イメージを示すである。
【図２１】図２１は本実施例に係るウェブ版ウェディングブックシステムにおける招待状の表面図である。
【図２２】図２２は本実施例に係るウェブ版ウェディングブックシステムのブック版への出力例を示す概略斜視図である。
【図２３】図２３は本実施例に係るウェブ版ウェディングブックシステムの成約後第１回打合せまでの処理の流れを示す説明図である。
【図２４】図２３は本実施例に係るウェブ版ウェディングブックシステムにおける第１回打合せの処理の流れを示す説明図である。
【図２５】図２３は本実施例に係るウェブ版ウェディングブックシステムにおける第１回打合せ後の打合せ期間の処理の流れを示す説明図である。
【発明を実施するための形態】
【００１５】
本発明は、カップルのウェディングに関する打合せ意識の向上を高めるとともに、カップル及び会場・ウェディングプランナー側の双方においてウェディングに関する打合せの効率向上、時間節約を実現し、また、カップルにとって結婚式後のメモリアル性を長く維持し得るウェブ版ウェディングブックシステムを提供するという目的を、ウェディング会場における管理者が利用する管理コンピュータ及びウェディングプランナーが利用するウェディングプランナー端末、カップル情報データベース、ウェディングブックデータベースを備えるとともに、ウェブ版ウェディングブックをブック形態で出力する印刷・製本装置を備えるウェディング管理コンピュータ装置におけるウェブサーバ上に開設したウェブサイト、このウェブサイトにインターネットを介してアクセス可能に接続される結婚式に臨むカップルのカップル端末、前記カップルに関係するゲストのゲスト端末及びウェディング会場と提携するパートナー企業のパートナー端末からなる端末群を利用したウェブ版ウェディングブックシステムであって、成約後第１回打合せまでの間に、カップルのカップル端末は、ウェブサイトを利用してカップルのプロフィール、カウンセリングに関するウェディング関連情報を管理コンピュータ送信し、前記管理コンピュータはカップル情報データベースに、前記カップル端末からのプロフィール、カウンセリングに関するウェディング関連情報を記憶し、第１回打合せ段階で、ウェディングプランナーのウェディングプランナー端末により担当するカップルのプロフィール情報等を取得してウェディングに関するテーマを設定してカップルにインターネットを介して送信して提案し、ウェディングプランナー端末及びパートナー企業のパートナー端末からカップル端末に対してレコメンド写真等を送信し、カップル端末は、ウェディングに関する各アイテムのチェックシートの情報を管理コンピュータ送信するとともに、ウェブサイトからスケジュール情報を取得してスケジュール管理を実行し、第１回打合せ後結婚式の日までの段階でカップルのカップル端末は、ウェブサイトを利用してウェディングダイアリー、ドレス、ゲスト、料理、花、演出、写真等の画像、ビューティケア、ギフト等に関する各種ウェディング関連情報を送信するとともに、ゲストに招待状を送付し、前記ゲスト端末は、カップルからの招待状を受けてカップルに対するお祝い情報をインターネットを介してウェディング管理コンピュータに送信し、前記ウェディング管理コンピュータ装置は、前記カップル端末からの各種ウェディング関連情報、ゲスト端末からのお祝い情報及びウェディングプランナー端末による提案情報をカップル情報データベース、ウェディングブックデータベースに蓄積し、前記カップル端末からの出力依頼を受けて前記印刷・製本装置によりブック形態のウェブ版ウェディングブックを有料にて出力する構成により実現した。
【実施例】
【００１６】
以下、本発明の実施例に係るウェブ（ＷＥＢ）版ウェディングブックシステム１について図面を参照して詳細に説明する。
【００１７】
最初に、本実施例に係るウェブ版ウェディングブックシステム１に関する発明提案の背景について説明する。
【００１８】
結婚式に臨むカップルと結婚式を実施する会場（ウェディング会場）との間で、結婚式についての成約が成立してから実際の打ち合わせ開始まで、数ヶ月間の空白の期間が生まれているのが通常であるが、結婚式に臨むカップルの不安を煽るこの期間を、カップル、会場双方にとって意味のある期間にするため、また打ち合わせが始まってからも楽しく打ち合わせが進められるように、また、そのプロセスを形として思い出に残せるように、それらを叶えるツールとして本願出願には先に書籍態様のウェディングブックを提案し、実用新案登録を取得している（登録実用新案第３１５８８１３号）。
【００１９】
このウェディングブックの特徴は、以下の通りである。
【００２０】
（ａ）打ち合わせ開始までに有効な情報をカップルに提供するようにすることで、カップルが結婚式に関する各アイテムの価値を理解したうえで打ち合わせに臨める環境を作ることができる。
（ｂ）カップルの希望や要望を引き出すためのツールが含まれているため、カップルの結婚式に関するイメージを効率的に引き出すことができる。
（ｃ）結婚式についてのテーマ設定を推奨することで、カップルは当日のゴールが見え、主体性を持って結婚式を創り上げる意識になる。
（ｄ）カップルの情報が集約されることで、パートナー企業にも状況が共有され提案しやすい環境が作れる。
（ｅ）当日を迎えるまでの数ヶ月間が、結婚式を創り上げるまでのプロセスとして形として、すなわち、ウェディングブックとして残る。
【００２１】
本実施例に係るウェブ版ウェディングブックシステムは、上述したウェディングブックの特徴を踏まえ、これをウェブ版として実現するものである。
【００２２】
すなわち、本実施例に係るウェブ版ウェディングブックシステムは、上述した書籍態様のウェディングブックの特徴を包含するとともに、更に、結婚式打ち合わせに対するカップルの取り組み意識をより向上させ、結婚式後における更に高いメモリアル性を実現し、更にまた、会場側のウェディングプランナー（ＷＰ）等の結婚式業務の効率向上をも実現するものである。
【００２３】
以下、本実施例に係るウェブ版ウェディングブックシステム１について詳述する。
【００２４】
本実施例に係るウェブ版ウェディングブックシステム１は、図１に示すように、会場（ウェディング会場）における管理者及びウェディングプランナーが利用するとともに、詳細は後述するウェブ版ウェディングブックＢを作成するウェディング管理コンピュータ装置１１と、ウェディング管理コンピュータ装置１１のウェブサーバ１３上に開設されるウェブサイトにアクセスする結婚式に臨むカップルのパーソナルコンピュータ（又はスマートフォン、携帯電話）からなるカップル端末３１と、前記カップルに関係するゲスト（招待者）のパーソナルコンピュータ（又はスマートフォン、携帯電話）からなるゲスト端末４１と、前記会場と提携するパートナー企業のパートナー端末５１と、を有し、これらの間の相互の情報通信を公知の通信プロトコルにより動作するインターネットＮを利用して行う構成としている。
【００２５】
前記カップル端末３１は、カップルが操作するデスクトップ型、ノート型のコンピュータにより、又は、スマートフォン、携帯電話等の携帯端末により構成される。
【００２６】
前記ゲスト端末４１は、ゲストが操作するデスクトップ型、ノート型のコンピュータにより、又は、スマートフォン、携帯電話等の携帯端末により構成される。
【００２７】
前記パートナー端末５１は、パートナー企業の担当者が操作するデスクトップ型、ノート型のコンピュータにより構成される。
【００２８】
前記ウェディング管理コンピュータ装置１１は、図２に示すように、インターネットＮに接続される通信部１２と、ウェブサイトを開設するウェブサーバ１３と、データベースサーバ１４と、ウェブ版ウェディングブックシステムの管理者が操作する管理コンピュータ１６と、会場側のウェディングプランナーが操作するウェディングプランナー端末１７と、ウェブ版ウェディングブックＢを印刷・製本する印刷・製本装置１８と、を有している。
【００２９】
前記データベースサーバ１４には、カップルに関する各種情報を読み出し可能に記憶するカップル情報データベース２４と、ウェブ版ウェディングブックの作成に必要な各種情報を読み出し可能に記憶するウェディングブックデータベース２５と、システム運用に必要なプロフィールシート、カウンセリングシート（アンケートシート）、ゲストシート等の各種情報、更には後述する各種の情報を読み出し可能に記録する管理情報データベース２６とが接続されている。
【００３０】
前記通信部１２は、インターネットＮを経由して、前記カップル端末３１、ゲスト端末４１、パートナー端末５１との間で各々公知の通信プロトコルに従って情報交信を実行する。
【００３１】
前記管理コンピュータ１６は、図３に示すように、この管理コンピュータの各部を制御する制御部１９と、前記制御部１９で実行される本実施例に係るウェブ版ウェディングブックシステム１の動作プログラムを記憶した記憶部２０と、管理者が使用するキーボードやマウス等の入力デバイスにより構成した入力部２１と、液晶ディスプレー等により構成した表示部２２と、プリンタ２３とを具備している。
【００３２】
図４は、成約後の準備段階の処理を示すものである。
（Ａ）会場；結婚式の成約後、会場側からカップルに対してウェディング管理コンピュータ装置１１のウェブサーバ１３により開設したウェブサイトへアクセスするためのログインカード（仮のＩＤ、パスワード記載）がプレゼントされる。
（Ｂ）カップルは、カップル端末３１を操作しインターネットＮを利用して仮のＩＤ、パスワードを用いてウェブサーバ１３へログインする。
（Ｃ）ウェディング管理コンピュータ装置１１は、前記カップル端末３１によるログイン後、新ＩＤ、パスワードを設定し、ウェブサーバ１３からインターネットＮを利用してカップル端末３１に送信する。
【００３３】
これにより、カップルはカップル端末３１を操作して、ウェディング管理コンピュータ装置１１のウェブサイトにアクセスし、本実施例のウェブ版ウェディングブックシステム１を利用した結婚式に関する各種処理を開始することができる。
【００３４】
図５は、前記ウェブサーバ１３におけるウェブサイトのトップ画面構成を示すものである。
【００３５】
このトップ画面には、ウェディングダイアリー、プロローグ、ドレス、招待状、料理や、花、演出、写真＆ＶＴＲ、ビューティ（ビューティケア）、ギフト、エピローグ等のウェブ版ウェディングブックシステム１の運用に関する各種項目が表示される。
【００３６】
そして、これら各種項目については、カップル端末３１は後述するような各種シートまたはリストの他に各項目別にウェディング会場側からカップルに提案するアドバイス、ヒント等の付帯情報を閲覧することができ、カップルにとってウェディング準備期間における打ち合わせに関する満足感を得ることができる。
【００３７】
次に、本実施例に係るウェブ版ウェディングブックシステム１の具体的処理の流れについて、図６乃至図２５を参照して説明する。
【００３８】
（ステップ１：成約後第１回打合せまで）
（Ｄ）カップルは図２３に示すようにカップル端末３１を使用し、新ＩＤ、パスワードを利用してウェブサーバ１３にアクセスし、ウェブサーバ１３から提供されるウェディングに関する読み物（情報提供）部分を閲覧するとともに、プロフィールシート、カウンセリングシート（アンケートシート）、テーマ作成用シート、結婚式に招待するゲスト（招待客）人数等を記載するためのゲストシートの各情報を閲覧する。
【００３９】
前記プロフィールシートの画像イメージを図６に、カウンセリングシートの画像イメージを図７に、テーマ作成用シートの画像イメージを図８に、ゲストシートの画像イメージを図９に、各々示す。
【００４０】
そして、カップルは、カップル端末３１を使用し、プロフィールシート、カウンセリングシート（アンケートシート）、テーマ作成用シート、ゲストシートの入力欄への所要事項の入力を行い、ウェブサーバ１３に送信する。
【００４１】
この場合、カウンセリングシート（アンケートシート）への入力はプルダウン方式を主流とする例を挙げることができる。
【００４２】
また、アンケート入力等に入力期日のアラート機能を設けることで、アンケートの事前記入率がアップし、打ち合わせ時間の短縮が図れる。
【００４３】
（Ｅ）ウェディング管理コンピュータ装置１１は、カップル端末３１から送信されたプロフィールシート、カウンセリングシート（アンケートシート）、テーマ作成用シート、ゲストシートの情報をカップル情報データベース２４に記憶する。
【００４４】
（Ｆ）これにより、ウェディング管理コンピュータ装置１１側の管理者及びウェディングプランナーは、管理コンピュータ１６、ウェディングプランナー端末１７によりカップル端末３１からの送信内容の閲覧が可能となり、打ち合わせ前に確認し打ち合わせの準備を適切に実行できる。
【００４５】
また、カップルがカップル端末３１を使用してアンケート入力などの情報を更新する度にウェディングプランナー端末１７を操作しメールでお知らせ（自動送信）したり、前記情報の更新内容等の状況把握もできる。
【００４６】
（Ｇ）担当ウェディングプランナーは、打ち合わせ日２日前までに所定の入力が行われていない場合は、ウェディングプランナー端末１７を操作し確認メールをカップル端末３１に送信（自動送信）する。
【００４７】
（Ｈ）更に、管理者は、管理コンピュータ１６を使用し、個々のカップルが記入したアンケート内容を会場ごとに集計し、分析することもでき、また、担当ウェディングプランナーは、ウェディングプランナー端末１７を操作して自身の打ち合わせの進捗管理も可能となる。
【００４８】
更に、ゲストシートに記入したゲスト情報は、帳票形式として出力可能としゲスト（招待客）リストとして招待状発送の際等に利用できる。
【００４９】
上述した（Ｄ）、（Ｅ）、（Ｆ）に記載したカップルの各アップロード情報は、ウェディングブックデータベース２５にも記憶され、ウェブ版ウェディングブックＢに反映される。
【００５０】
（ステップ２：第一回打合せ）
（Ｉ）ウェディング管理コンピュータ装置１１側の担当ウェディングプランナーは、図２４に示すように、ウェディングプランナー端末１７を操作し、カップル情報データベース２４からカップルが記入したプロフィールシート、カウンセリングシート（アンケートシート）、図８に示すテーマ作成用シートの情報を読み出し、これらを基に当該ウェディングのテーマを設定し、テーマシートに入力する。
【００５１】
（Ｊ）ウェディングプランナーは、テーマ設定後、そのテーマを基に、結婚式のイメージを一枚に表したビジュアルボードシート（例えば結婚式スタイル、料理イメージ等掲載）を作成し、ウェディングプランナー端末１７を操作し、カップル端末３１に送信してカップルに提案する。
【００５２】
（Ｋ）更に、ウェディングプランナー端末１７、パートナー端末５１から、カップル端末３１に向けてレコメンド写真（カップルが好みそうなウェディングドレスの写真等）、コメント等を送信し、カップルに提案することもできる。
【００５３】
（Ｌ）次に、カップル端末３１は、ウェブサーバ１３から提供される各アイテムのカウンセリングシート（チェックシート）の情報を閲覧し、所要事項を入力した後ウェブサーバ１３に送信する。
【００５４】
各アイテムのカウンセリングシートのイメージを図１０乃至図１２に示す。
【００５５】
この場合、コメントを入力したり、任意の写真（思い出写真等）をアップロードすることもできる。
【００５６】
また、カップルはカップル端末３１を操作し、ウェディングプランナー端末１７、パートナー端末５１から送信されたレコメンド写真、コメントを確認する。
【００５７】
更に、カップルは、カップル端末３１を使用しウェブサーバ１３から提供されるスケジュールシートの情報を閲覧し、結婚式に関連するスケジュールを管理することも可能である。スケジュールシートのイメージを図１３に示す。
上述した（Ｉ）、（Ｊ）、（Ｋ）、（Ｌ）に記載したカップル各アップロード情報やウェディングプランナーの入力情報は、ウェディングブックデータベース２５にも記憶され、ウェブ版ウェディングブックＢに反映される。
【００５８】
（ステップ３：第一回打合せ後の打合せ期間）
（Ｍ）このステップ３では、図２５に示すように、上述した各アイテムのカウンセリングシート（リクエストシート）を基に、カップルと、ウェディングプランナー、パートナー企業の担当者との間で各アイテムの具体的打ち合わせを行う。
【００５９】
この場合、ウェディングプランナーやパートナー企業の担当者は、事前にカップルのカウンセリングシート（チェックシート）の情報を収集し閲覧できるので、予め提案準備して、具体的打ち合わせにおいて有効な提案をすることができる。
【００６０】
例えば、パートナー企業である写真会社の担当者が花嫁がどのドレスを着るか事前に把握できることから、適切な写真撮影を行うための準備を行うことができる。
【００６１】
（Ｎ）カップルはカップル端末３１を使用し、後に残しておきたいイメージ写真や打ち合わせの写真等の情報をウェブサーバ１３にアップロードする。これらの情報は、カップル情報データベース２４の画像フォルダーに記憶される。この場合、画像解像度が粗い場合はアラート機能を使用したり、出力イメージをプレビューで確認できる構成とすることができる。
【００６２】
（Ｏ）ウェディングプランナーにおいては、ウェディングプランナー端末１７を使用して、担当するカップルとの全ての打ち合わせ進捗状況を画面上で管理する。
本実施例においては、カップルごと、担当する全カップルごとに管理することが可能であり、
かつ、打ち合わせ日程を入力したり、それに応じてアラート機能を設定する構成とすることも可能とする。
【００６３】
（Ｐ）カップルは、カップル端末３１を操作し、ウェブサイトのウェディングダイアリーボタン選択し、ウェディングダイアリー画面を閲覧し、その時に感じたこと等をウェディングダイアリー(日記)情報として入力し、ウェブサーバ１３に送信する。ウェディングダイアリー情報はカップル情報データベース２４に記憶され、出力時に反映される。この場合、ウェディングプランナー端末１７、パートナー端末５１では閲覧不可の構成とするものである。
【００６４】
（Ｑ）更に、カップルは、カップル端末３１を随時操作し、ウェブサイトのドレス、料理、花、演出、写真＆ＶＴＲ、ビューティ（ビューティケア）、ギフトの各項目を選択し、これらに関する各情報を閲覧し、各々所要の情報を入力しウェブサーバ１３に送信する。
【００６５】
前記ドレスに関するアイテムチェックシートのイメージを図１４に、料理に関するアイテムチェックシートのイメージ図１５に、花に関するアイテムチェックシートのイメージ図１６に、演出に関するアイテムチェックシートのイメージ図１７に、写真＆ＶＴＲに関するアイテムチェックシートのイメージ図１８に、ビューティ（ビューティケア）に関するアイテムチェックシートのイメージ図１９に、ギフトに関するアイテムチェックシートのイメージ図２０に、各々示す。
【００６６】
（Ｒ）カップルは、図２１に示すようなウェディングのテーマを記載し、かつ、二次元コードを記載した招待状を結婚式に招待するゲストに例えば郵送にて送付する。ウェディングのテーマとしては、「この度のウェディングテーマは○○です。」等の例を挙げることができる。
【００６７】
（Ｓ）招待状を受け取ったゲストは、招待状に付された二次元コードをスキャンしてウェブサーバ１３のＵＲＬを取得し、ゲスト端末４１を使用してウェブサーバ１３にアクセスし、お祝いメッセージ・新郎、新婦とともに撮影した写真等の情報を送信する。
また、披露宴の席次表に、二次元コードを付しておくことによって、披露宴に参列したゲストは、その二次元コードをスキャンしてウェブサーバ１３のＵＲＬを取得し、ゲスト端末４１を使用してウェブサーバ１３にアクセスし、お祝いメッセージ等の情報を送信することができる。
すなわち、ゲストは、招待状到着時、披露宴当日の２回にわたってお祝いメッセージ等の情報をウェブサーバ１３にアップするこができる。
これらの情報は、ウェディングブックデータベース２５に記憶され、更に、図２２に示すブック形態のウェブ版ウェディングブックＢのゲストからのお祝い欄に反映される。
【００６８】
これにより、カップルは例えば披露宴後にゲストからの上述した招待状到着時にゲストが送信したお祝いメッセージ・写真等や、披露宴当日にゲストが送信したお祝いメッセージ等を受け取ることができる。
【００６９】
（Ｔ）ウェディングプランナーは、ウェディングプランナー端末１７を操作し、披露宴後に各カップルに対するメッセージを入力し、送信する。このメッセージの情報もウェディングブックデータベース２５に記憶する。このメッセージは、例えば出力されるウェブ版ウェディングブックＢの最後のページに記載される。
【００７０】
（ステップ４：当日から結婚式以降の期間）
（Ｕ）ウェディングプランナーは、カップルからの出力依頼を受けてウェディングプランナー端末１７を操作し、ウェブ版ウェディングブックＢの出力指示（印刷・製本装置１８による印刷・製本）を行う。出力される図２２に示すブック形態のウェディングブックＢは、有料でカップル、ゲスト等に販売される。これにより会場側の売上アップが期待できる。
【００７１】
上述した本実施例に係るウェブ版ウェディングブックシステム１によれば、以下の効果を奏するものである。
（カップルについて）
カップルにとって、利便性が向上し、ウェディングに関する打合せ時間時間を有効に利用することができ、また、ウェディングに関する取り組み意識が向上し、更に、結婚式後における更に高いメモリアル性を実現できる。
【００７２】
すなわち、本実施例に係るウェブ版ウェディングブックシステム１の具体的な諸効果としては以下の通りである。
（ａ）ウェブ版としているので、カップル端末３１（又はスマートフォン・携帯電話）から日常的に閲覧・入力することが可能となり、活用がより簡略になり、打ち合わせ段階では書籍携帯のウェディングブックを持ち歩く煩雑さから開放される。
（ｂ）結婚式を創り上げるために必要な作業や打ち合わせ進捗の確認、何をすべきかの確認が時間場所を問わずに確認できることにより時間を有効に活用できる。
（ｃ）ウェディングプランナーや各パートナー企業の担当者との打ち合わせは、カップルの情報（記入項目）を事前に確認したうえで行われるため、カップルにとって打ち合わせ時間の効率化が図れ、また会場側から提案してもらいやすい環境が生まれる。
（ｄ）ウェブサイト上でウェディングプランナーやパートナー企業担当者とコミュニケーションが取れるため、会場側との対面接客時間を短縮することができるため、遠方に居住するカップルや、直近に結婚式希望のカップルにとっても効果的となる。
（ｅ）結婚式のテーマを決めた上で打ち合わせを行うため、カップル自身が当日のイメージを認識し易くなり、画像アップロードやアンケート入力も自主的に行い易くなる（ウェブ化により画像アップロードやアンケート入力など実作業も容易になる）。
（ｆ）数ヶ月間の打ち合わせ期間のプロセスを有形のウェディングブックとして出力することで、当日のアルバムや映像と同じように思い出として残せておける。
（ｇ）打ち合わせ期間に感じたことや起こったことなどを、随時日記（Wedding  diary）として残しておくことができる。また、それらは出力の際に記載され写真だけでなくその時のリアルな気持ちも残すことができる。
（ｈ）招待状送付時や披露宴終了後にゲストからコメントや写真がアップされ、それも出力することができ思い出として残せておける。
（ｉ）アップロードした情報は全て出力したウェディングブックとセットでデータとしてもらえる。
【００７３】
（会場側、ウェディンプランナー及びパートナー企業について）
（ｊ）会場側、ウェディンプランナー及びパートナー企業の担当者にとって、カップルの情報をウェブサイト上でタイムリーに知ることができ、事前準備が可能になるため、対面式での打ち合わせ回数と時間の短縮が図れる。
（ｋ）パートナー企業の各担当者は、カップル情報が閲覧可能になるために、情報の共有が容易になる（ウェディングプランナーとパートナー企業の各担当者との連絡事項が低減する）。
（ｌ）各アイテムのアンケート入力に入力期日のアラート機能を設けることで、アンケートの事前記入率がアップし、打ち合わせ時間の短縮が図れる（カップルが自主的に動ける環境ができる）。
（ｍ）カップルは、カップル端末（スマートフォンも可）から日常的に結婚式関連情報を閲覧することが可能になるため、読み物部分での価値形成がされやすくなり、ウェディングプランナーとしては問い合わせ処理の軽減が期待できる。
（ｎ）各アイテムの打ち合わせ日程を設定、打ち合わせの進捗状況が把握できるためカップルの管理が容易になり、ウェディングプランナーが打ち合わせをリードし易くなる。
（ｏ）会場側ではカップルが入力したアンケート内容を会場ごとに集計し分析ができ、マーケティングに活用できる。
（ｐ）結婚式のテーマを決めた上で打ち合わせを行うため、それに紐づく各アイテムの提案が行い易くなり単価アップが期待できる（ウェディンプランナー、パートナー企業の担当者）。
（ｑ）披露宴後のウェブ版ウェディングブックをブック形態で出力し販売促進することにより、会場側の売上アップが期待できる。
【産業上の利用可能性】
【００７４】
本発明のウェブ版ウェディングブックシステムは、結婚式場での結婚式、ホテル等での結婚式、教会での結婚式等、結婚式の実施場所の如何を問わず、また、カップル、ゲストの居住地の地理的な遠近を問題とすることなく広範に適用可能である。
【符号の説明】
【００７５】
１    ウェブ版ウェディングブックシステム
１１    ウェディング管理コンピュータ装置
１２    通信部
１３    ウェブサーバ
１４    データベースサーバ
１６    管理コンピュータ
１７    ウェディングプランナー端末
１８    印刷・製本装置
１９    制御部
２０    記憶部
２１    入力部
２２    表示部
２３    プリンタ
２４    カップル情報データベース
２５    ウェディングブックデータベース
２６    管理情報データベース
３１    カップル端末
４１    ゲスト端末
５１    パートナー端末
Ｂ    ウェブ版ウェディングブック
Ｎ    インターネット
【図１】
2013246760.tif 000003
【図２】
2013246760.tif 000004
【図３】
2013246760.tif 000005
【図４】
2013246760.tif 000006
【図５】
2013246760.tif 000007
【図６】
2013246760.tif 000008
【図７】
2013246760.tif 000009
【図８】
2013246760.tif 000010
【図９】
2013246760.tif 000011
【図１０】
2013246760.tif 000012
【図１１】
2013246760.tif 000013
【図１２】
2013246760.tif 000014
【図１３】
2013246760.tif 000015
【図１４】
2013246760.tif 000016
【図１５】
2013246760.tif 000017
【図１６】
2013246760.tif 000018
【図１７】
2013246760.tif 000019
【図１８】
2013246760.tif 000020
【図１９】
2013246760.tif 000021
【図２０】
2013246760.tif 000022
【図２１】
2013246760.tif 000023
【図２２】
2013246760.tif 000024
【図２３】
2013246760.tif 000025
【図２４】
2013246760.tif 000026
【図２５】
2013246760.tif 000027